(57)【要約】【課題】  振動を受けても異音が発生する虞のないヘッドアップディスプレイ装置を提供する。【解決手段】  表示光Ｌを発する表示パネル１２と、表示光Ｌを反射させる反射部材５と、表示パネル１２を支持する可動支持体２０と、この可動支持体２０を回転可能に保持する固定支持体（保持部材）３０と、これら各部を収納するハウジング１とを備え、反射部材５によって反射された表示光Ｌをハウジング１に形成された出射部７を通じて投影部材６に投影して観察者Ｐに対し表示を行うヘッドアップディスプレイ装置において、可動支持体２０は、表示パネル１２を支持する合成樹脂材料からなる基部２１と、この基部２１に一体形成される一対のボス部２６とを備え、固定支持体３０に各ボス部２６が遊嵌する一対の遊嵌部３６を設け、遊嵌部３６から突出するボス部２６の突出部分には、固定支持体３０を基部２１側に押圧する押圧手段５０がそれぞれ配設されてなる。【選択図】図３
2011007983.tif 000002
【特許請求の範囲】
【請求項１】
表示光を発する表示素子と、前記表示光を反射させる反射部材と、前記表示素子を支持する支持部材と、前記支持部材を回転可能に保持する保持部材と、前記表示素子、前記反射部材、前記支持部材並びに前記保持部材を収納するハウジングとを備え、
前記反射部材によって反射された前記表示光を前記ハウジングに形成された出射部を通じて投影部材に投影して観察者に対し表示を行うヘッドアップディスプレイ装置において、
前記支持部材は、前記表示素子を支持する合成樹脂材料からなる基部と、前記基部に一体形成される一対のボス部とを備え、
前記保持部材に前記各ボス部が遊嵌する一対の遊嵌部を設け、
前記遊嵌部から突出する前記ボス部の突出部分には、前記保持部材を前記基部側に押圧する押圧手段がそれぞれ配設されてなることを特徴とするヘッドアップディスプレイ装置。
【請求項２】
前記押圧手段は、前記突出部分を取り囲むように配設される弾性部材と、前記弾性部材を支えるように前記突出部分に配設される第１の座金と、前記保持部材と前記弾性部材との間に介在する第２の座金とを備えてなることを特徴とする請求項１記載のヘッドアップディスプレイ装置。
【発明の詳細な説明】
【技術分野】
【０００１】
本発明は、表示器（表示素子）が発した表示光を車両のフロントガラス等の投影部材に投影し、観察者に虚像表示を行うヘッドアップディスプレイ装置に関するものである。
【背景技術】
【０００２】
従来より、この種のヘッドアップディスプレイ装置にあっては、例えば下記特許文献１に記載のごとく、車両のフロントガラス（投影部材）に表示器からの表示光を投射して虚像表示を行うものが知られている。
【先行技術文献】
【特許文献】
【０００３】
【特許文献１】特開２００８−１８５６３３号公報
【０００４】
この特許文献１に記載のヘッドアップディスプレイ装置は、車両のインストルメントパネル（以下、インパネと言う）内部に取り付けられており、表示光を発する表示器を少なくとも有する表示ユニットと、表示器が発する表示光を投影部材側に反射させる凹面鏡（反射部材）と、表示ユニットと凹面鏡とを収容するハウジングとを備え、凹面鏡によって反射された表示光をハウジングに形成された出射部を通じて投影部材に投影して観察者（運転者）に虚像の表示を行うものである。
【０００５】
そして、この場合、表示ユニットは、前述した表示器と、可動支持体（支持部材）と、保持部材と、アクチュエータユニットと、規制部材とから主に構成されてなる。
【０００６】
表示器は、合成樹脂からなる表示器ケース内部に周知の液晶表示素子からなる表示素子が収容されたもので、可動支持体上に載置されている。なお、表示器ケースの前面壁部には、表示素子を臨ませるべく、表示素子に対応した開口窓からなる窓部が形成されている。また、表示素子は、表示ユニットの背後側に配置された光源ユニットからの光によって表示光を発するものであり、この表示光は前記窓部を通過して凹面鏡側へと至る。
【０００７】
可動支持体である支持部材は、合成樹脂からなり、略平板状に形成され、表示器（表示素子）を移動不可能に支持する支持体としての機能を有している。
【０００８】
かかる支持部材は、支持部材の外周部に部分形成され、アクチュエータユニットのアクチュエータの出力ギヤに連結されるギヤ部と、その両端側に設けられ、規制部材を通じて支持部材を保持部材上に保持した際に保持部材に対して支持部材が回動移動可能となるように規制部材を挿通する一対の長孔と、表示ユニットの背後側に配置される光源ユニットからの光を表示素子に向けて通過させる第１の開口部と、この第１の開口部を挟むように保持部材側に突出形成される第１の嵌合部とを備えている。
【０００９】
この第１の嵌合部は、支持部材を保持部材に組み付けた際に保持部材に備えられる第２の嵌合部に挿入嵌合する一対の突出部からなり、各突出部の外周形状は、前記第２の嵌合部との嵌合状態で支持部材が保持部材に対して回動できるように円弧状に形成され、またこの円弧の両端を結んだ部分は、第１の開口部に沿ったストレート形状となっており、結果、一つの前記突出部は、略「Ｄ」字形を呈するとともに、二つ合わせて支持部材を回動させる際の軸部として機能する。
【００１０】
保持部材は、金属板を所定形状にプレス抜き形成したもので、支持部材を回動移動可能に保持する第１の保持部と、アクチュエータユニットを固定支持する第２の保持部とが一体形成された構成となっている。
【００１１】
第１の保持部は、略平板状に形成され、支持部材の第１の開口部に対応する箇所に形成され、光源ユニットからの光を表示素子に向けて通過させる第２の開口部と、支持部材の第１の嵌合部に対応する箇所に形成される第２の嵌合部と、支持部材の長孔に対応する箇所に形成され、規制部材を挿通させる孔部とを有している。
【００１２】
第２の嵌合部は、支持部材の第１の嵌合部を挿入嵌合可能な切り欠き部分として前記第２の開口部に連続するように形成され、その内周形状は第１の嵌合部の外周形状に対応する円弧状であり、支持部材と保持部材との組み付け状態において、保持部材に対して支持部材を回動させる際、第１の嵌合部を軸支するように摺動保持するものである。
【００１３】
一方、第２の保持部は、互いに間隔を有して平行に延びる一対のアーム片からなり、これらアーム片の間にアクチュエータユニットを不動状態に固定している。
【００１４】
アクチュエータユニットは、例えばステッピングモータ（アクチュエータ）と、このステッピングモータを不動状態に固定するモータケースとからなり、モータケースを通じて保持部材における第２の保持部にステッピングモータを支持固定することで、ステッピングモータの出力ギヤが支持部材に備えられるギヤ部に連結されるようになっている。
【００１５】
規制部材は、ピン部材と、第１，第２の座金と、弾性部材と、Ｅリングとから構成されている。
【００１６】
ピン部材は、支持部材、保持部材、第１，第２の座金、弾性部材、Ｅリングの全てを挿通する円柱形状の軸部と、支持部材上に位置するとともに径方向の形状が軸部の形状よりも径大な円板形状のフランジ部とを有する金属部材からなる。また第１の座金は、支持部材と保持部材との間に位置しピン部材の軸部に挿通される金属製の環状平ワッシャーからなり、第２の座金は、保持部材と弾性部材との間に位置しピン部材の軸部に挿通される金属製の環状平ワッシャーからなる。
【００１７】
弾性部材は、第２の座金とＥリングとの間に位置しピン部材の軸部に挿通される金属製のコイルスプリングからなり、第２の座金、保持部材、第１の座金、支持部材をピン部材のフランジ部側に押圧付勢する。Ｅリングは、ピン部材の軸部端部に固定され、弾性部材の脱落を防止している。
【００１８】
このように構成される規制部材は、支持部材と保持部材とが回動スラスト方向（保持部材に対して支持部材を回動させた際のスラスト方向）に分離（離間）しないようにフランジ部と第２の座金との間に支持部材と保持部材の双方を挟んで前記回動スラスト方向における離間方向移動を規制するものである。すなわち、ピン部材の軸部に弾性部材を挿通し、且つ弾性部材を圧縮した状態でピン部材の軸部端部にＥリングを装着固定すると、弾性部材の反発力（復帰力）により、フランジ部と第２の座金との間で支持部材と保持部材とが第１の座金を挟んでフランジ部側へ常時、押圧される状態となっていた。
【発明の概要】
【発明が解決しようとする課題】
【００１９】
上述した特許文献１に記載のヘッドアップディスプレイ装置の場合、表示器を支持する支持部材が合成樹脂材料からなるとともに、この支持部材を回動可能に保持する保持部材が金属材料からなり、また支持部材の両端側に設けられる一対の長孔とこれら長孔に対応するように保持部材に設けられる一対の孔部の双方に金属材料からなるピン部材の軸部がそれぞれ挿通し、この軸部に一体形成されているピン部材の頂部である前記フランジ部が支持部材上において、長孔の周縁に引っ掛かるように配設されている構成である。
【００２０】
そして、保持部材の背後側となるピン部材の軸部箇所に弾性部材を挿通し、且つ弾性部材を圧縮した状態でピン部材の軸部端部にＥリングを装着固定すると、弾性部材の反発力（復帰力）により、支持部材、保持部材、これら両者の間に介在する第１の座金並びに保持部材と弾性部材との間に介在する第２の座金がフランジ部側へ常時、押圧される状態となっていた。
【００２１】
ところで、この特許文献１に記載のヘッドアップディスプレイ装置を車両のインパネ内部に取り付けた場合にあっては、車両の振動等によって、金属材である保持部材（第１の保持部）に設けられた孔部を貫通（挿通）している金属材のピン部材の軸部が、前記孔部内を径方向に移動してしまうことがあった。すると、前記孔部の直径寸法と、ピン部材における軸部の直径寸法とが同程度の寸法に設定されている場合には、前記振動による軸部の径方向への移動に起因して、金属材である軸部の外周面の一部が前記孔部を取り巻くように第１の保持部に設けられる金属内壁面にぶつかって異音が発生してしまうという問題点があり、この点で更なる改良の余地が残されていた。
そこで本発明は、前述の課題に対して対処するため、振動を受けても異音が発生する虞のないヘッドアップディスプレイ装置の提供を目的とするものである。
【課題を解決するための手段】
【００２２】
本発明は、表示光を発する表示素子と、前記表示光を反射させる反射部材と、前記表示素子を支持する支持部材と、前記支持部材を回転可能に保持する保持部材と、前記表示素子、前記反射部材、前記支持部材並びに前記保持部材を収納するハウジングとを備え、前記反射部材によって反射された前記表示光を前記ハウジングに形成された出射部を通じて投影部材に投影して観察者に対し表示を行うヘッドアップディスプレイ装置において、前記支持部材は、前記表示素子を支持する合成樹脂材料からなる基部と、前記基部に一体形成される一対のボス部とを備え、前記保持部材に前記各ボス部が遊嵌する一対の遊嵌部を設け、前記遊嵌部から突出する前記ボス部の突出部分には、前記保持部材を前記基部側に押圧する押圧手段がそれぞれ配設されてなることを特徴とする。
【００２３】
また本発明は、前記押圧手段は、前記突出部分を取り囲むように配設される弾性部材と、前記弾性部材を支えるように前記突出部分に配設される第１の座金と、前記保持部材と前記弾性部材との間に介在する第２の座金とを備えてなることを特徴とする。
【発明の効果】
【００２４】
本発明によれば、初期の目的を達成でき、振動を受けても異音が発生する虞のないヘッドアップディスプレイ装置を提供できる。
【図面の簡単な説明】
【００２５】
【図１】本発明の実施形態によるヘッドアップディスプレイ装置の全体構成を示す概略図。
【図２】同実施形態による表示ユニットを図１における矢印Ｘ方向から見たときの正面図。
【図３】図２のＡ−Ａ断面図。
【図４】図２のＢ−Ｂ断面図。
【図５】図３中、Ｃ部を拡大して示す拡大断面図。
【図６】同実施形態による表示ユニットを図１における矢印Ｙ方向から見たときの背面図。
【図７】図６において表示器及び支持部材を取り除いたときの保持部材の背面図。
【図８】図６において保持部材及びアクチュエータユニットを取り除いたときの支持部材の背面図。
【発明を実施するための形態】
【００２６】
以下、図１から図８に基づいて、本発明を車両用のヘッドアップディスプレイ装置に適用した一実施形態を説明する。
【００２７】
図１において、本実施形態によるヘッドアップディスプレイ装置は、例えば自動車のインパネ内部に搭載されるもので、ハウジング１と、表示ユニット２と、バックライトユニット３と、第１の反射体４と、第２の反射体（反射部材）５とを備えており、表示ユニット２及びバックライトユニット３を通じて生成され、第１，第２の反射体４，５を通じて反射される表示光（表示像）Ｌを車両のフロントガラス（投影部材）６に照射（投影）して表示を行うもので、表示内容としては各種車両情報やナビゲーション情報等が挙げられる。
【００２８】
ハウジング１は、例えば黒色の合成樹脂からなり、表示ユニット２、バックライトユニット３、第１の反射体４、第２の反射体５を内部に収容（収納）する他、フロントガラス６に対向する側には、表示光Ｌをフロントガラス６に向けて出射させる出射部７が形成され、この出射部７は透光性カバー８にて覆われている。
【００２９】
表示ユニット２は、バックライトユニット３からの光を受けて前述の表示像（表示光）Ｌを発するものであるが、その詳細は後述する。
【００３０】
バックライトユニット３ は、図３に示すように光源基板３ａ上に間隔を空けて複数個配置された例えば発光ダイオードからなる光源３ｂと、この光源３ｂからの光を入射して表示ユニット２に向けて放射するレンズ部材３ｃと、光源３ｂ、レンズ部材３ｃを収納する光源ケース３ｄとを備え、この場合、光源ケース３ｄは、光反射性の良好な乳白色の合成樹脂から形成されている。
【００３１】
第１の反射体４は、例えば平面ミラーからなり、表示ユニット２からの表示光Ｌを第２の反射体５に反射する。
【００３２】
第２の反射体５は、例えば凹面ミラーからなり、第１の反射部材４を通じて反射された表示光Ｌを出射部７側に反射させるものである。このように第２の反射体５によって反射された表示光Ｌは、出射部７に配設された透光性カバー８を通じてフロントガラス６上に照射（投影）され、乗員（観察者）Ｐに対して虚像表示を行うものである。
【００３３】
次に、図２〜図８に基づいて表示ユニット２を説明する。表示ユニット２は、表示器１０と、可動支持体（支持部材）２０と、固定支持体（保持部材）３０と、アクチュエータユニット４０と、押圧手段５０とを備えてなる。
【００３４】
表示器１０は、表示器ケース１１と、表示パネル（表示素子）１２と、パネルヒータ１３と、パッキン１４とを備え、可動支持体２０上に配置固定されている。
【００３５】
表示器ケース１１は、例えば黒色の合成樹脂からなり、その内部に表示パネル１２、パネルヒータ１３、パッキン１４を収容している。また、この表示器ケース１１には、表示パネル（表示素子）１２に対応した窓部１５が形成されている。
【００３６】
表示パネル１２は、本例では一対のガラス基板間に液晶分子を封入してなる液晶表示パネルが適用されている。この表示パネル１２は、前記表示像を形成可能な光透過性の表示エリア（画素エリア）１２ａと、この表示エリア１２ａの周囲を取り巻く遮光性の非表示エリア１２ｂとを有し、この場合、表示エリア１２ａは、表示ケース１１の窓部１５よりも小さく形成されている。
【００３７】
パネルヒータ１３は、表示パネル１２の温度特性に配慮して採用されたもので、パッキン１４は、表示器１０を可動支持体２０上に配置固定するにあたり、表示パネル１２と可動支持体２０との間に介在する緩衝材として採用されている。
【００３８】
支持部材としての可動支持体２０は、例えば黒色の合成樹脂材料からなり、表示器１０（表示パネル１２）を移動不可能に支持している。この可動支持体２０は、所定の平面形状を有する板状の基部２１を母材とし、表示器１０（表示パネル１２）を支持してなる基部２１には、ギヤ部２２と、第１の開口部２３と、第１の嵌合部２４と、当接部２５と、ボス部２６とが形成されている。
【００３９】
ギヤ部２２は、可動支持体２０の外周部に部分形成され、アクチュエータユニット４０の後述するステッピングモータの出力ギヤに連結されるギヤ列からなる。
【００４０】
第１の開口部２３は、可動支持体２０の表示パネル１２に対応する位置に形成され、バックライトユニット３からの光を表示パネル１２に向けて透過させるものである。
【００４１】
第１の嵌合部２４は、第１の開口部２３を挟むように固定支持体３０側に突出形成され、可動支持体２０を固定支持体３０に組み付けた際、固定支持体３０の後述する第２の嵌合部に挿入嵌合する一対の突出部からなり、各突出部の外周形状は、前記第２の嵌合部との嵌合状態で可動支持体２０が固定支持体３０に対して回動できるように円弧状に形成され、また第１の開口部２３に隣接する箇所は、第１の開口部２３に沿ったストレート形状に形成され、結果、一つの前記突出部は、図８において略「Ｄ」字形を呈すると共に、二つ合わせて可動支持体２０を回動させる際の軸部として機能する。
【００４２】
当接部２５は、第１の開口部２３を挟んで固定支持体３０側に突出形成される一対の突出片からなり、第１の嵌合部２４を前記第２の嵌合部に挿入嵌合して可動支持体２０を固定支持体３０に組み付けた際、後述する回転規制手段に挿入され、可動支持体２０が回動した際、前記回転規制手段の後述する対向壁に当接することにより、固定支持体３０に対する可動支持体２０の回動移動における許容量（回転移動量）を規制するものである。
【００４３】
ボス部２６は、基部２１に一体形成された略円柱形状の一対の突起部からなり、一対の当接部２５を挟むように固定支持体３０側に突出形成され、固定支持体３０の後述する遊嵌部に遊嵌してなる。
【００４４】
保持部材としての固定支持体３０は、例えば金属板を所定形状にプレス抜き形成したものであり、可動支持体２０を回動移動可能（回転可能）に保持する第１の保持部３１と、アクチュエータユニット４０を固定保持する第２の保持部３２とが一体形成された構成となっている。
【００４５】
第１の保持部３１は、略平板状に形成され、第２の開口部３３と、第２の嵌合部３４と、回動規制手段３５と、遊嵌部３６とを有している。
【００４６】
第２の開口部３３は、可動支持体２０の第１の開口部２３に対応する箇所に形成され、バックライトユニット３からの光を表示パネル１２に向けて透過させるものである。
【００４７】
第２の嵌合部３４は、可動支持体２０の第１の嵌合部２４を挿入嵌合可能な切り欠き部分として、第２の開口部３３に連続するように形成され、その内周形状は第１の嵌合部２４の外周形状に対応する円弧状であり、可動支持体２０と固定支持体３０との組み付け状態において、固定支持体３０に対して可動支持体２０を回動させる際、第１の嵌合部２４を軸支するように摺動保持する。
【００４８】
回動規制手段３５は、可動支持体２０の各当接部２５に対応する切り欠き部分として、第２の開口部３３に連続するように形成され、可動支持体２０と固定支持体３０との組み付け状態において、それぞれが当接部２５を挿通するとともに可動支持体２０が回転した際、当接部２５と当接して可動支持体２０の時計方向（Ｔ１）及び反時計方向（Ｔ２）方向への回転移動量を規制する一対の対向壁３７を有している。
【００４９】
遊嵌部３６は、可動支持体２０における基部２１に一体形成された一対のボス部２６が挿通（遊嵌）する一対の長孔からなり、回動規制手段３５を挟むように第１の保持部３１の両端部にそれぞれ設けられている。なお、この長孔からなる遊嵌部３６は、ボス部２６の挿通状態でボス部２６が放射方向（つまり前記長孔の長手方向とは直交する方向）に移動しない大きさに形成され、且つ前記長手方向に沿う開口幅は、可動支持体２０の回動移動を考慮した大きさに設定されている。
【００５０】
第２の保持部３２は、互いに間隔を有して平行に延びる一対のアーム片からなり、これらアーム片の間にアクチュエータユニット４０を不動状態に固定支持している。
【００５１】
アクチュエータユニット４０は、例えばステッピングモータ（アクチュエータ）４１と、このステッピングモータ４１を不動状態に固定支持するモータケース４２とからなり、モータケース４２を通じて固定支持体３０の第２の保持部３２にステッピングモータ４１を支持固定することで、ステッピングモータ４１の出力ギヤ４３が可動支持体２０のギヤ部２２に連結されるようになっている。
【００５２】
押圧手段５０は、弾性部材５１と、第１の座金５２と、Ｅリング５３と、第２の座金５４とから構成され、各ボス部２６をそれぞれ取り囲むように固定支持体３０（第１の保持部３１）の背後側に位置している。つまり、押圧手段５０は、一対の遊嵌部３６から突出する一対のボス部２６の各突出部分Ｆにそれぞれ配設され、固定支持体３０を可動支持体２０の基部２１側に押圧する機能を備えてなる。
【００５３】
弾性部材５１は、第１の座金５２と第２の座金５４との間に位置する金属製のコイルスプリングからなり、遊嵌部３６から突出するボス部２６の突出部分Ｆを取り囲むように配設されてなる。かかる弾性部材５１は、固定支持体３０（第１の保持部３１）並びに第２の座金５４を基部２１側に押圧付勢する付勢部材としての機能を備えてなる。
【００５４】
第１の座金５２は、弾性部材５１を支えるように突出部分Ｆの下端部に固定（配設）される金属製の環状平ワッシャーからなる。
【００５５】
Ｅリング５３は、第１の座金５２を支えるように突出部分Ｆの下端部に固定され、第１の座金５２の脱落を防止している。
【００５６】
第２の座金５４は、第１の保持部３１（固定支持体３０）と弾性部材５１との間に介在する樹脂製の環状平ワッシャーからなり、その孔径はボス部２６の挿通状態でボス部２６の軸方向に移動可能な大きさに設定されている。
【００５７】
ところで、ボス部２６は、遊嵌部３６及び第２の座金５４を挿通しただけの状態では、ボス部２６の軸方向に移動可能となるが、ボス部２６（具体的には遊嵌部３６の背後に突出するボス部２６の突出部分Ｆ）に弾性部材５１を挿通し、且つ弾性部材５１を圧縮した状態でボス部２６（突出部分Ｆ）の下端部に第１の座金５２、Ｅリング５３を順次装着固定すると、弾性部材５１の反発力（復帰力）により、固定支持体３０（第１の保持部３１）と第２の座金５４とが基部２１側（図５中、上側）へ常時押圧された状態となり、これにより可動支持体２０の回動を可能としている。
【００５８】
なお、本例では弾性部材５１の背後に第１の座金５２とＥリング５３の双方が装着された構成となっているが、例えばＥリング５３を廃止し突出部分Ｆの下端部に係止固定される第１の座金５２のみを用いて弾性部材５１を支える構成としてもよい。
【００５９】
次に、表示ユニット２の組み付け例について説明する。まず、表示器１０を図示省略した固定手段を介して可動支持体２０に対し不動状態となるように固定する。次に、可動支持体２０の第１の嵌合部２４、当接部２５並びにボス部２６をボス部２６の前記軸方向に沿って固定支持体３０の第２の嵌合部３４、回動規制手段３５並びに遊嵌部３６にそれぞれ挿入、嵌合させた後、遊嵌部３６から突出するボス部２６の突出部分Ｆに第２の座金５４、弾性部材５１、第１の座金５２、Ｅリング５３を順次組み付けることで、前記反発力を利用して表示器１０を固定した可動支持体２０が第１の保持部３１上（固定支持体３０上）に回転可能に組み付けられる。
【００６０】
なお、弾性部材５１、第１の座金５２、Ｅリング５３並びに第２の座金５４のボス部２６（突出部分Ｆ）への組み付けは、第２の座金５４の挿通孔とボス部２６とを位置合わせし、図５中、下側から突出部分Ｆに第２の座金５４を挿通させ、その後、同様に図５中、下側から突出部分Ｆに弾性部材５１を挿通させ、最後に第１の座金５２の挿通孔及びＥリング５３の挿通孔をボス部２６と位置合わせし、図５中、下側から突出部分Ｆの下端部に第１の座金５２、Ｅリング５３を順次挿通させて弾性部材５１を圧縮させた状態で固定し、完了となる。
【００６１】
次に、アクチュエータユニット４０を固定支持体３０の第２の保持部３２に取り付け固定し、ステッピングモータ４１の出力ギヤ４３と可動支持体２０のギヤ部２２とを連結する。
【００６２】
最後に、表示器１０と可動支持体２０とアクチュエータユニット４０とを搭載した固定支持体３０をバックライトユニット３上に位置合わせしてハウジング１に取り付け固定する。
【００６３】
これにより、バックライトユニット３により生成された光は、固定支持体３０及び可動支持体２０の各開口部３３，２３を通じて表示パネル１２を背後から照らす。これにより表示パネル１２からは表示光（表示像）Ｌが発せられる。
【００６４】
また、ステッピングモータ４１を作動させると、その回転が出力ギヤ４３とギヤ部２１を通じて可動支持体２０に伝達され、可動支持体２０に搭載した表示器１０が時計方向（Ｔ１）及び反時計方向（Ｔ２）方向に回転し（図２参照）、これにより表示光（表示像）を左右に回動させることができ、フロントガラスに対する表示光（表示像）の傾きを調整することが可能となる。
【００６５】
ここで、可動支持体２０と固定支持体３０とは各嵌合部２４，３４を通じた嵌合状態において、固定支持体３０に対して可動支持体２０が表示パネル１２の表示エリア１２ａ内の中心位置を回動中心ＲＣとして回動するように構成されており、これにより表示エリア１２ａ（表示像Ｌ）はその中心位置を基準として回動することになる。
【００６６】
ここで、上述のように構成された完成品となるヘッドアップディスプレイ装置を車両のインパネに取り付けた場合、車両の振動等によって、ボス部２６が金属材からなる固定支持体３０に設けられた長孔からなる遊嵌部３６内を径方向（つまり前記長孔の長手方向とは直交する方向）に移動し、ボス部２６の外周面の一部が遊嵌部３６を取り巻く金属内壁面Ｇ（図２参照）にぶつかったとしても、本例では基部２１に一体形成されたボス部２６が合成樹脂材料で形成されていることに伴い、従来のように金属材同士がぶつかることで生じていた異音の発生を防止することが可能となる。
【００６７】
以上のように本実施形態では、表示光Ｌを発する表示パネル１２と、表示光Ｌを反射させる反射部材としての第２の反射体５と、表示パネル１２を支持する可動支持体２０と、この可動支持体２０を回転可能に保持する固定支持体３０と、表示パネル１２、第２の反射体５、可動支持体２０並びに固定支持体３０を収納するハウジング１とを備え、第２の反射体５によって反射された表示光Ｌをハウジング１に形成された出射部７を通じてフロントガラス６に投影して乗員Ｐに対し表示を行うヘッドアップディスプレイ装置において、可動支持体２０は、表示パネル１２を支持する合成樹脂材料からなる基部２１と、この基部２１に一体形成される一対のボス部２６とを備え、固定支持体３０に一対のボス部２６が遊嵌する一対の遊嵌部３６を設け、一対の遊嵌部３６から突出する一対のボス部２６の各突出部分Ｆには、固定支持体３０を基部２１側に押圧する押圧手段５０がそれぞれ配設されてなるものである。
【００６８】
従って、前記完成品となるヘッドアップディスプレイ装置を車両のインパネに取り付けた場合、車両の振動等により、ボス部２６が金属材からなる固定支持体３０に設けられた長孔からなる遊嵌部３６内を前記径方向に移動し、ボス部２６の外周面の一部が遊嵌部３６を取り巻く金属内壁面Ｇにぶつかったとしても、本例ではボス部２６が合成樹脂材料で形成されているので、従来のように金属材同士がぶつかることで生じていた異音の発生を防止することが可能となる。このように本発明によれば、振動を受けても異音が発生する虞のないヘッドアップディスプレイ装置を提供することができる。
【００６９】
また本実施形態では、固定支持体３０が金属材料にて形成されていた例について説明したが、固定支持体３０を金属材料ではなく合成樹脂材料で形成してもよい。
【００７０】
なお本実施形態では、表示ユニット２から発せられる表示光Ｌが、フロントガラス６に投射される例について説明したが、例えばフロントガラス６に表示光Ｌを良好に乗員Ｐ方向に反射させるコンバイナフィルムを設けてもよいし、あるいはフロントガラス６とは別の専用の反射体に表示光Ｌを投射する構成としてもよい。
【符号の説明】
【００７１】
１    ハウジング
２    表示ユニット
３    バックライトユニット
４    第１の反射体
５    第２の反射体（反射部材）
６    フロントガラス（投影部材）
７    出射部
１０    表示器
１２    表示パネル（表示素子）
２０    可動支持体（支持部材）
２１    基部
２２    ギヤ部
２６    ボス部
３０    固定支持体（保持部材）
３１    第１の保持部
３２    第２の保持部
３６    遊嵌部
４０    アクチュエータユニット
４１    ステッピングモータ（アクチュエータ）
５０    押圧手段
５１    弾性部材
５２    第１の座金
５３    Ｅリング
５４    第２の座金
Ｆ    突出部分
Ｇ    金属内壁面
Ｌ    表示光（表示像）
Ｐ    乗員（観察者）
ＲＣ    回動中心
【図１】
2011007983.tif 000003
【図２】
2011007983.tif 000004
【図３】
2011007983.tif 000005
【図４】
2011007983.tif 000006
【図５】
2011007983.tif 000007
【図６】
2011007983.tif 000008
【図７】
2011007983.tif 000009
【図８】
2011007983.tif 000010